(57)【要約】      （修正有）【課題】ゴミや小物などの侵入を確実に防げて見映えを向上する。【解決手段】フロア４０に据え付けられる左右のロング・レール１１、１１と、該ロング・レールの前端に突き出されて回転可能に支持される左右のフロント・ローラと、後端に突き出されて回転可能に支持される左右のリア・ローラ１４、１４と、左右のフロントおよびリア・ローラ間に巻き付けられ、レール長さ方向でレール上下方向においてロング・レール１１、１１の外周に回され、左右のロング・レール１１、１１に対応的に移動可能にはめ合わせられるところの左右のランナー１２、１２のフロント・エンドあるいはその左右のランナー１２、１２上の左右のシート・ライザ−３７、３７のフロント・エンドに一端を、その左右のランナー１２、１２のリア・エンドあるいはその左右のシート・ライザー３７、３７のリア・エンドに他端をそれぞれ結合する左右のレール・カバー・ベルト１５、１５とを含む。【選択図】      図３
2004359144.tif 000002
【特許請求の範囲】
【請求項１】
フロアの左右方向に適宜の間隔を置いてそのフロアの前後方向に延び、そして、フロント・レッグおよびリア・レッグでそのフロア上に適宜の隙間を置いてそのフロアに据え付けられる左右の横断面溝形ロング・レールと、その左右の横断面溝形ロング・レールの前端に突き出されてその左右の横断面溝形ロング・レールに対応的に回転可能に支持される左右のフロント・ローラと、その左右の横断面溝形ロング・レールの後端に突き出されてその左右の横断面溝形ロング・レールに対応的に回転可能に支持される左右のリア・ローラと、その左右のフロントおよびリア・ローラ間に対応的に巻き付けられ、その左右のフロントおよびリア・ローラで対応的に案内されてレール長さ方向でレール上下方向においてその左右の横断面溝形ロング・レールの外周に対応的に回され、そして、その左右の横断面溝形ロング・レールに対応的に移動可能にはめ合わせられるところの左右のランナーのフロント・エンドあるいはその左右のランナー上の左右のシート・ライザ−のフロント・エンドに一端を、その左右のランナーのリア・エンドあるいはその左右のシート・ライザーのリア・エンドに他端をそれぞれ結合する左右のレール・カバー・ベルトとを含む自動車に用いるロング・シート・トラック。
【発明の詳細な説明】
【０００１】
【発明の関係する分野】
この発明は、自動車に用いるロング・シート・トラックに関する。
【０００２】
【背景技術】
通常の自動車に用いるロング・シート・トラックでは、横断面溝形ロング・レールが溝を上に開口させてフロアに据え付けられ、そして、ランナーがそのロング・レールに移動可能にはめ合わせられるので、ゴミや小物がその溝の開口からそのロング・レール内に入る不具合があり、また、その開口が目に付いて見映えが悪い。
【０００３】
【発明の課題】
この発明の課題は、ゴミや小物などの侵入を確実に防げて見映えを向上するところの自動車に用いるロング・シート・トラックの提供にある。
【０００４】
【課題に相応する手段およびそれの作用】
この発明は、フロアの左右方向に適宜の間隔を置いてそのフロアの前後方向に延び、そして、フロント・レッグおよびリア・レッグでそのフロア上に適宜の隙間を置いてそのフロアに据え付けられる左右の横断面溝形ロング・レールと、その左右の横断面溝形ロング・レールの前端に突き出されてその左右の横断面溝形ロング・レールに対応的に回転可能に支持される左右のフロント・ローラと、その左右の横断面溝形ロング・レールの後端に突き出されてその左右の横断面溝形ロング・レールに対応的に回転可能に支持される左右のリア・ローラと、その左右のフロントおよびリア・ローラ間に対応的に巻き付けられ、その左右のフロントおよびリア・ローラで対応的に案内されてレール長さ方向でレール上下方向においてその左右の横断面溝形ロング・レールの外周に対応的に回され、そして、その左右の横断面溝形ロング・レールに対応的に移動可能にはめ合わせられるところの左右のランナーのフロント・エンドあるいはその左右のランナー上の左右のシート・ライザ−のフロント・エンドに一端を、その左右のランナーのリア・エンドあるいはその左右のシート・ライザーのリア・エンドに他端をそれぞれ供給する左右のレール・カバー・ベルトとを含み、そして、そのフロントおよびリア・ローラでそのレール・カバー・ベルトをそのロング・レールの外周に円滑に回しでき、そのレール・カバー・ベルトでそのロング・レールの溝の開口を覆ってそのロング・レールのその開口から内部にゴミや小物などの侵入を防ぎ、加えて見映えを向上する。
【０００５】
【具体例の説明】
以下、特定されて図示された具体例に基づいて、この発明の自動車に用いるロング・シート・トラックを説明するに、図１ないし図４は、ワゴンの左のセカンド・シート３０に活用されるところのこの発明の自動車に用いるロング・シート・トラックの具体例１０を示し、そして、この自動車に用いるロング・シート・トラック１０では、左右の横断面溝形ロング・レール１１、１１が、フロア４０の左右方向に適宜の間隔を置いてそのフロア４０の前後方向に延び、そして、フロント・レッグ２０、２０およびリア・レッグ２１、２１でそのフロア上に適宜の隙間を置いてそのフロア４０に据え付けられ、また、左右のフロント・ローラ１３、１３が、その左右の横断面溝形ロング・レール１１、１１の前端に適宜に突き出されて一対の差込み型ブラケット２３、２３でその左右の横断面溝形ロング・レール１１、１１に対応的に回転可能に支持され、さらに、左右のリア・ローラ１４、１４が、その左右の横断面溝形ロング・レール１１、１１の後端に適宜に突き出されて一対の差込み型ブラケット２３、２３でその左右の横断面溝形ロング・レール１１、１１に対応的に回転可能に支持され、またさらに、左右のレール・カバー・ベルト１５、１５が、その左右のフロントおよびリア・ローラ１３、１３および１４、１４間に対応的に巻き付けられ、その左右のフロントおよびリア・ローラ１３、１３および１４、１４で対応的に案内されてレール長さ方向でレール上下方向においてその左右の横断面溝形ロング・レール１１、１１の外周に対応的に回され、そして、その左右の横断面溝型ロング・レール１１、１１に対応的に移動可能にはめ合わせられるところの左右のランナー１２、１２上の左右のシート・ライザ３７、３７のフロント・エンドに一端を、その左右のシート・ライザー３７、３７のリア・エンドに他端をそれぞれ結合する。
【０００６】
そのロング・レール１１、１１は、鋼板から横断面溝型に成形され、一対のトップ・フランジ１６、１６のそれぞれにリップ１７、１７を備え、そして、そのリップ１７、１７で溝１８の開口１９を決定している。すなわち、そのロング・レール１１、１１では、その溝１８はそのリップ１７、１７で開口幅が決定される。また、そのロング・レール１１、１１は、下にそのレール・カバー・ベルト１５、１５を通す隙間を置いてそのフロント・レッグ２０およびリア・レッグ２１でそのフロア４０上に持ち上げられてそのフロア４０に据え付けられる。
【０００７】
そのランナー１２、１２は、それぞれ４個の走行ローラ２２、２２、２２、２２を備え、そのロング・レール１１、１１にはめ込まれてその４個のローラ２２、２２、２２、２２でそのロング・レール１１、１１に円滑に移動可能にされている。また、その左右のシート・ライザ−３７、３７は一体型に作られている。
【０００８】
そのフロント・ローラ１３は、その一対の差込み型ブラケット２３、２３に通されてその一対の差込み型ブランケット２３、２３に固定的に取り付けられるところのピン２４に回転可能に支持され、そして、そのロング・レール１１、１１の前端にその差込み型ブランケット２３、２３を差し込んで支持される。
【０００９】
そのリア・ローラ１４も同様にその一対の差込み型ブランケット２３、２３に通されてその一対の差込み型ブランケット２３、２３に固定的に取り付けられるところのピン２４に回転可能に支持され、そして、そのロング・レール１１、１１の後端にその差込み型ブランケット２３、２３を差し込んで支持される。
【００１０】
この自動車に用いるロング・シート・トラック１０を活用するところのそのセカンド・シート３０において、３１はシート・クッション、３２はシート・バック３３はヘッドレスト、３４は折りたたみアームレスト、３５はリクライニング・デバイス、そして、３６はノブである。
【００１１】
したがって、そのセカンド・シート３０がそのロング・シート・トラック１０でそのフロア４０の前後に移動される際、このロング・シート・トラック１０では、そのレール・カバー・ベルト１５、１５がそのセカンド・シート３０の移動に伴ってそのフロントおよびリア・ローラ１３、１３および１４、１４で案内されてそのレール長さ方向でそのレール上下方向においてそのロング・レール１１、１１の外周に円滑に回され、また、そのロング・レール１１、１１は常に、そのレール・カバー・ベルト１５、１５でその溝１８、１８のその開口１９、１９が覆われてその開口１９、１９から内部にゴミや小物などの侵入が未然に防がれてそのランナー１２、１２に円滑な移動が確保される。そのように、そのロング・レール１１、１１が常に、そのレール・カバー・ベルト１５、１５でその開口１９、１９を覆われているので、そのロング・シート・トラック１０は見映えが向上される。
【００１２】
先に図面を参照して説明されたところのこの発明の特定された具体例から明らかであるように、この発明の属する技術分野における通常の知識を有する者にとって、この発明の内容は、その発明の性質（ｎａｔｕｒｅ）および本質（ｓｕｂｓｔａｎｃｅ）に由来し、そして、それらを内在させると客観的に認められる別の態様に容易に具体化される。勿論、この発明の内容は、その発明の課題に相応し（ｂｅ  ｃｏｍｍｅｎｓｕｒａｔｅ  ｗｉｔｈ）、そして、その発明の成立に必須である。
【００１３】
【発明の便益】
上述から理解されるように、この発明の自動車に用いるロング・シート・トラックは、フロアの左右方向に適宜の間隔を置いてそのフロアの前後方向に延び、そして、フロント・レッグおよびリア・レッグでそのフロア上に適宜の隙間を置いてそのフロアに据え付けられる左右の横断面溝形ロング・レールと、その左右の横断面溝形ロング・レールの前端に突き出されてその左右の横断面溝形ロング・レールに対応的に回転可能に支持される左右のフロント・ローラと、その左右の横断面溝形ロング・レールの後端に突き出されてその左右の横断面溝形ロング・レールに対応的に回転可能に支持される左右のリア・ローラと、その左右のフロントおよびリア・ローラ間に対応的に巻き付けられ、その左右のフロントおよびリア・ローラで対応的に案内されてレール長さ方向でレール上下方向においてその左右の横断面溝形ロング・レールの外周に対応的に回され、そして、その左右の横断面溝形ロング・レールに対応的に移動可能にはめ合わせられるところの左右のランナーのフロント・エンドあるいはその左右のランナー上の左右のシート・ライザ−のフロント・エンドに一端を、その左右のランナーのリア・エンドあるいはその左右のシート・ライザーのリア・エンドに他端をそれぞれ結合する左右のレール・カバー・ベルトとを含むので、この発明の自動車に用いるロング・シート・トラックでは、そのレール・カバー・ベルトがシートの移動に伴ってそのフロントおよびリア・ローラで案内されてそのロング・レールの外周に円滑に回され、そのロング・レールが常に、そのレール・カバー・ベルトで溝の開口を覆われてその開口から内部にゴミや小物などの侵入が未然に防止され、そして、そのランナーに円滑な移動が確保され、加えて見映えが向上され、その結果、自動車、特に、ワゴン、バン、およびリクリエーショナル・ビーグルなどにとって非常に有用で実用的である。
【図面の簡単な説明】
【図１】ワゴンの左のセカンド・シートを前に移動させているところのこの発明の自動車に用いるロング・シート・トラックの具体例を示した概説側面図である。
【図２】そのセカンド・シートを後に移動させているところのそのロング・シート・トラックを示した概説側面図である。
【図３】そのロング・シート・トラックを部分的に示した部分斜視図である。
【図４】横断面溝形ロング・レールの後端部分およびリア・ローラを示した分解斜視図である。
【符号の説明】
１１  横断面溝形ロング・レール
１２  ランナー
１３  フロント・ローラ
１４  リア・ローラ
１５  レール・カバー・ベルト
１８  溝
１９  開口
２０  フロント・レッグ
２１  リア・レッグ
２２  走行ローラ
２３  差込み型ブラケット
３０  セカンド・シート
３７  シート・ライザー
４０  フロア
【図１】
2004359144.tif 000003
【図２】
2004359144.tif 000004
【図３】
2004359144.tif 000005
【図４】
2004359144.tif 000006